(57)【特許請求の範囲】
【請求項１】
所定間隔をおいて一対の側枠が連結杆により固定された機枠を設け、織られた織布を巻き取るためのフロントローラーと多数の経糸を巻くためのバックローラーとが該側枠に水平方向で平行に配置されて回転可能に設けられていると共に、各ローラー軸に固定されたラチェット機構を構成するツメ車にツメを係合させることにより前記ローラー間に張られる経糸が緩まないように各ローラーの回転方向を規制することができるように設けられ、多数の経糸を中間高さに設けた透孔と縦長の隙間に１本おきに通してそれらの経糸を上下に分ける綜絖（そうこう）と緯糸を打ち込む筬（おさ）の二つの機能を有するヘドルが、前記側枠に設けられた上位置と下位置及び休止位置の何れかにその両端部を載架して保持されるように設けられ、前記バックローラーに巻かれた多数の経糸の前部を該ヘドルを介してフロントローラーに固定して経糸が張られた状態にて、該ヘドルを上位置又は下位置に交互に移動させることにより生ずる糸道に、緯糸が巻かれたシャトルを通して緯糸を入れ、その入れた緯糸をヘドルでフロントローラー側に引き寄せて経糸に緯糸を織り込む操作を繰り返すことにより織成を行うように構成された手織機において、前記フロントローラー及びバックローラーの両ローラーについては、前記側枠に支持されるローラー軸を両端部に形成すると共に、経糸を通すための小間隙を設けるための多数のピンが平坦な上面の長手方向に直線状に並設された軸杆と、経糸を押圧するための長いゴム部材を内面の長手方向に装着し、前面と後面の端縁に経糸を通過させる切欠部が夫々形成されたカバーとからなり、前記軸杆にカバーを被せて固定ネジにより締め付けることにより同カバーが取り付けられ、かつ、経糸が前記軸杆の上面とゴム部材の先端部との間で固定されるように構成したことを特徴とする手織機におけるフロントローラー及びバックローラー。
【発明の詳細な説明】
【０００１】
【発明の属する技術分野】
本発明は、手織機において織られた織布を巻き取るためのフロントローラーと多数の経糸を巻くためのバックローラーに関する。
【０００２】
【従来の技術】
従来の手織機ｗについては、図６に示すように、織られた織布を巻き取るためのフロントローラーｍと多数の経（たて）糸ｘを巻くためのバックローラーｎとが機枠ｊの側枠ｋに平行に配置されて回転可能に設けられ、多数の経糸ｘを透孔ｅと隙間ｃに１本おきに通してそれらの経糸ｘを上下に分ける綜絖（そうこう）と緯（よこ）糸を打ち込む筬（おさ）の二つの機能を有するヘドルａが、側枠ｋの支持片ｌに設けられた上位置▲１▼と下位置▲２▼  及び休止位置▲３▼の何れかにその両端部を載架して保持されるように設けられている。そして、バックローラーｎに巻かれた多数の経糸ｘの前部をヘドルａを介してフロントローラーｍに紐ｐで取り付けられたスティックｏに４本ずつ結んで固定して経糸ｘが張られた状態において、ヘドルａを上位置▲１▼又は下位置▲２▼に交互に移動させてそのときに生ずる糸道に緯糸ｙが巻かれたシャトルｓを通して緯糸を入れ、その入れた緯糸ｙをヘドルａでフロントローラーｍ側に引き寄せて経糸ｘに緯糸ｙを織り込むという一連の操作が繰り返されることにより織成を行うように構成されている。
なお、上記バックローラーｎに対する経糸ｘの取り付け方は、フロントローラーｍの場合と同様、紐（図示せず）で取り付けられたスティックに経糸ｘの一端を結び又は巻回することにより施されている。
【０００３】
【発明が解決しようとする課題】
上記した従来の手織機ｗによる織成の前準備として、フロントローラー及びバックローラー間に経糸をセットする必要がある。それには、まず、バックローラーｎにスティックを紐で取り付けた後、そのスティックに経糸ｘの一端を結び又は巻回してすべての所定長さの経糸ｘを緊張させつつバックローラーｎに一緒に巻き込む。ついで、すべての経糸ｘの前部をヘドルａの隙間ｃと透孔ｅに１本おきに通し、フロントローラーｍに紐ｐで取り付けられたスティックｏに経糸ｘを４本ずつ結んで固定する。そして、スティックｏが同ローラーｍに重なるまでフロントローラーｍを回転させて経糸ｘがピンと張った状態とする。以上により準備が整う訳であるが、上述したフロントローラー及びバックローラーに経糸ｘをセットする作業については、大変手間がかかって煩わしいものと言えよう。
【０００４】
この発明の目的は、経糸を各ローラーに取り付ける織成前の作業を簡単に行うことができる手織機におけるフロントローラー及びバックローラーを提供することにある。
【０００５】
【課題を解決するための手段】
前記目的を達成するために請求項１に記載の発明は、所定間隔をおいて一対の側枠が連結杆により固定された機枠を設け、織られた織布を巻き取るためのフロントローラーと多数の経糸を巻くためのバックローラーとが該側枠に水平方向で平行に配置されて回転可能に設けられていると共に、各ローラー軸に固定されたラチェット機構を構成するツメ車にツメを係合させることにより前記ローラー間に張られる経糸が緩まないように各ローラーの回転方向を規制することができるように設けられ、多数の経糸を中間高さに設けた透孔と縦長の隙間に１本おきに通してそれらの経糸を上下に分ける綜絖と緯糸を打ち込む筬の二つの機能を有するヘドルが、前記側枠に設けられた上位置と下位置及び休止位置の何れかにその両端部を載架して保持されるように設けられ、前記バックローラーに巻かれた多数の経糸の前部を該ヘドルを介してフロントローラーに固定して経糸が張られた状態にて、該ヘドルを上位置又は下位置に交互に移動させることにより生ずる糸道に、緯糸が巻かれたシャトルを通して緯糸を入れ、その入れた緯糸をヘドルでフロントローラー側に引き寄せて経糸に緯糸を織り込む操作を繰り返すことにより織成を行うように構成された手織機において、前記フロントローラー及びバックローラーの両ローラーについては、前記側枠に支持されるローラー軸を両端部に形成すると共に、経糸を通すための小間隙を設けるための多数のピンが平坦な上面の長手方向に直線状に並設された軸杆と、経糸を押圧するための長いゴム部材を内面の長手方向に装着し、前面と後面の端縁に経糸を通過させる切欠部が夫々形成されたカバーとからなり、前記軸杆にカバーを被せて固定ネジにより締め付けることにより同カバーが取り付けられ、かつ、経糸が前記軸杆の上面とゴム部材の先端部との間で固定されるように構成したことを特徴とする。
【０００６】
【発明の作用及び効果】
織物の幅に合わせた所要本数の一定長さの経糸を用意し、バックローラーのカバーを外して軸杆の各々の小間隙にすべての経糸の一端を一本ずつ通して上面に伸びるように置く。ついで、カバーを軸杆に被せて固定ネジにより取り付ける。このときに、各経糸は、軸杆の上面とカバーに装着されたゴム部材の先端部により挟持されて固定が施される。
【０００７】
バックローラーに並列して巻かれたすべての経糸の前部をヘドルの各透孔と隙間に１本おきに通した後に行うフロントローラーへの経糸の取り付けについても、上記バックローラーへの取り付けと同様の要領にて行う。
【０００８】
この手織機におけるフロントローラー及びバックローラーによれば、経糸を各ローラーに取り付ける織成前の準備作業を簡単に行うことができて大変使い勝手がよい。
【０００９】
【発明の実施の形態】
以下に、本発明の実施の形態例を図面に基づいて説明する。図１は手織機の側面図、図２は同、平面図、図３は同、正面図、図４は図３のＡ−Ａ線断面図、図５はシャトルの正面図である。
【００１０】
図１〜図３に示す手織機１においては、所定間隔をおいて左右一対の側枠３、５が前後に配置された連結杆７、８により固定された機枠２を設け、織られた織布を巻き取るためのフロントローラー１０と多数の経糸を巻くためのバックローラー３０とがそれら側枠３、５に水平方向で平行に配置されて回転可能に設けられている。４、６は側枠３、５の後方寄りに立設された支持片であり、後記ヘドル５０を載架して保持するための上位置▲１▼と下位置▲２▼及び休止位置▲３▼を構成する形態とされている。
【００１１】
フロントローラー１０については、図３に示すように、上記側枠３、５の前後に夫々形成された各軸孔３ａ、５ａに回転自由に遊嵌されるローラー軸１２、１３が両端部に形成された軸杆１１を設け、その軸杆１１の窪むように形成された平坦な上面１１ａの内端に、多数のピン１４が経糸を通すための小間隙１５をおいて長手方向に直線状に並設されている。１７は上部１７ａを貫くように３本の固定ネジ２２が配設され、前面１７ｂと後面１７ｃの端縁に切欠部１８、１８を夫々形成したカバーである。そのカバー１７の長手方向の内面に形成された長孔１９には、経糸を押圧するための複数の突条２０ａが形成された長いゴム部材２０の支持部２０ｂを装着する。カバー１７は、固定ネジ２２を軸杆１１に埋設されたナット１６に締め付けることにより該軸杆１１に取り付けられるように設けられている。そして、カバー１７を軸杆１１に取り付けたときには、経糸が軸杆１１の上面１１ａとゴム部材２０の先端部との間で固定されるように設けられている。
【００１２】
ローラー軸１３の前記側枠５から突出した部分には、ラチェット機構２５を構成するツメ車２６を嵌着し、図１に示すように、側枠５に揺動自由に設けたツメ２７の先端２７ａを該ツメ車２６の溝２６ａに係合させてバックローラー３０との間に張られる経糸が緩まないように回転方向を規制することができるように設けられている。２８はローラー軸１３の端部に取り付けたノブである。
【００１３】
バックローラー３０は、上記フロントローラー１０と同様の構成とされている。詳しくは、上記側枠３、５の前後に夫々形成された各軸孔３ａ、５ａに回転自由に遊嵌されるローラー軸３２、３３が両端部に形成された軸杆３１を設け、その軸杆３１の窪むように形成された平坦な上面３１ａの内端に、多数のピン３４が経糸を通すための小間隙３５をおいて長手方向に直線状に並設されている。３７は上部３７ａを貫くように３本の固定ネジ４２が配設され、前面３７ｂと後面３７ｃの端縁に切欠部３８を夫々形成したカバーである。そのカバー３７の長手方向の内面に形成された長孔３９には、経糸を押圧するための複数の突条４０ａが形成された長いゴム部材４０の支持部４０ｂを装着する。カバー３７は、固定ネジ４２を軸杆３１に埋設されたナット３６に締め付けることにより該軸杆３１に取り付けられるように設けられている。そして、カバー３７を軸杆３１に取り付けたときには、経糸が軸杆３１の上面３１ａとゴム部材４０の先端部との間で固定されるように設けられている。
【００１４】
ローラー軸３３の前記側枠５から突出した部分には、ラチェット機構４５を構成するツメ車４６を嵌着し、側枠５に揺動自由に設けたツメ４７の先端４７ａを該ツメ車４６の溝４６ａに係合させてフロントローラー１０との間に張られる経糸が緩まないように回転方向を規制することができるように設けられている。４８はローラー軸３３の端部に取り付けたノブである。
【００１５】
５０は多数の経糸をニードル部材６０の中間高さに位置する透孔６１と縦長の隙間６２に１本おきに通してそれらの経糸を上下に分ける綜絖と緯糸を打ち込む筬の二つの機能を有するヘドルである。このヘドル５０は、第１ホルダー５１に対して第２ホルダー５５が着脱自由に設けられている。
【００１６】
次に、上記構成になるフロントローラー１０及びバックローラー３０の使い方について手織機の操作に関連させて述べる。
（１）最初に、織物の幅に合わせた所要本数の一定長さの経糸ｘをバックローラー３０にセットしておく。具体的には、バックローラー３０のカバー３７を外して軸杆３１の各々の小間隙３５に多数の経糸ｘの一端を一本ずつ通して上面３１ａに伸びるように置いた後、カバー３７を固定ネジ４２で締め付けて取り付ける。このときに、各経糸ｘはカバー３７に装着されたゴム部材４０により押圧されて固定される。
（２）ついで、ラチェット機構４５のツメ４７をツメ車４６から外した状態にて、ノブ４８を回すことによりすべての経糸ｘを緊張させつつバックローラー３０に一緒に巻き込む。経糸ｘの巻込みを終えたら、再びツメ４７をツメ車４６に係合させて経糸ｘが送り出されないようにしておく。
（３）ヘドル５０の第２ホルダー５５を外して第１ホルダー５１のみを側枠３、５の支持片４、６の各休止位置▲３▼に載架して保持させた状態とし、バックローラー３０に並列して巻かれたすべての経糸ｘの前部を、第１ホルダー５１の各縦溝と隙間に上から１本おきに置くようにして通す。ついで、第２ホルダー６５を第１ホルダー５１に取り付けて一体化する。
（４）ヘドル５０に通された経糸ｘの他端を、バックローラー３０への取り付けと同様の要領にてフロントローラー１０に夫々固定する。そのときには、両ローラー１０、３０が内方に回転しないように各ラチェット機構２５、４５のツメ車２６、４６にツメ２７、４７を夫々係合させた状態にて、各経糸ｘを手で引っ張ってすべての経糸ｘがピンと張った状態になるように固定ネジ２２の締付けを加減しながら行う。
（５）しかして、ヘドル５０を支持片４、６の上位置▲１▼と下位置▲２▼に交互に移動させ、そのときに生ずる糸道に緯糸ｙが巻かれた図５に示すシャトル７０を通して緯糸を入れ、その入れた緯糸ｙを支持片４、６から外したヘドル５０でフロントローラー１０側に引き寄せて経糸ｘに緯糸ｙを織り込む操作を行う。
【００１７】
以上のとおり、この手織機のヘドルによれば、経糸を各ローラーに取り付ける織成前の準備作業を初心者でも簡単に行うことができる。
【図面の簡単な説明】
【図１】手織機の側面図
【図２】同、平面図
【図３】同、正面図
【図４】図３のＡ−Ａ線断面図
【図５】シャトルの正面図
【図６】従来の手織機の斜視図
【符号の説明】
ｘ→経糸  ｙ→緯糸
１→手織機
２→機枠  ３、５→側枠  ４、６→支持片
▲１▼→上位置  ▲２▼→下位置  ▲３▼→休止位置  ７、８→連結杆
１０→フロントローラー
１１→軸杆  １１ａ→上面  １２、１３→ローラー軸
１４→ピン  １５→小間隙
１７→カバー  １８→切欠部  ２０→ゴム部材  ２２→固定ネジ
２５→ラチェット機構  ２６→ツメ車  ２７→ツメ
３０→バックローラー
３１→軸杆  ３１ａ→上面  ３２、３３→ローラー軸
３４→ピン  ３５→小間隙
３７→カバー  ３８→切欠部  ４０→ゴム部材  ４２→固定ネジ
４５→ラチェット機構  ４６→ツメ車  ４７→ツメ
５０→ヘドル
５１→第１ホルダー  ５５→第２ホルダー  ６１→透孔  ６２→隙間
７０→シャトル
【図１】
0003543083.tif 000002
【図２】
0003543083.tif 000003
【図３】
0003543083.tif 000004
【図４】
0003543083.tif 000005
【図５】
0003543083.tif 000006
【図６】
0003543083.tif 000007